(57)【特許請求の範囲】
【請求項１】
シリンダ（２３）内を加圧及び減圧させて容器体（Ｂ）内の液を噴出孔（６６）より噴出するポンプ機構を備え、スピン機構（７０）を介して噴出孔（６６）より霧状に液を噴出する液体噴出器に於いて、
噴出孔（６６）先方に起泡拡散機構を備え、起泡拡散機構は、噴出孔（６６）の先方に延設した柱状空間形態の噴出口（６７）を備え、噴出口（６７）の基端部を円周面（７２）とするとともに、先端部に外方へ広がるテーパ周面（７３）を備え、
上記円周面（７２）を基端側の小径部（７２ａ）と、先端側の大径部（７２ｂ）とで構成するとともに、
円周面（７２）の小径部（７２ａ）に外部と連通して外気を導入する外気導入路（７４）の一端を開口してなり、
外気導入路（７４）からの外気と混合した噴出孔（６６）からの噴霧液を円周面（７２）の大径部（７２ｂ）に衝突させて起泡し、噴出口（６７）の先端開口より噴出可能とし、
テーパ周面（７３）と連続する噴出口（６７）の先端に、拡散程度を調整する調整円周面（７５）を設けたことを特徴とする液体噴出器。
【請求項２】
調整円周面（７５）の先端に、外方へ広がる調整テーパ周面（７７）を連設した請求項１に記載の液体噴出器。
【請求項３】
揺動可能に設けられたトリガー操作によりシリンダ（２３）内を加圧及び減圧されるポンプ機構を備えたトリガー式の液体噴出器である請求項１又は請求項２に記載の液体噴出器。
【請求項４】
容器体（Ｂ）内に垂下固定されるシリンダ（２３）と、シリンダ（２３）内より上部を突出させて上方付勢状態で上下動可能に設けられた作動部材（８０）とを備え、作動部材（８０）の上下動でシリンダ（２３）内を加圧及び減圧させる縦型ポンプ式の液体噴出器である請求項１又は請求項２に記載の液体噴出器。
【発明の詳細な説明】
【技術分野】
【０００１】
本発明は液体噴出器に関し、詳しくは、収容液を泡状に、しかも泡の塗布パターンを広い範囲になるべく丸く散布することが可能な液体噴出器に関する。
【背景技術】
【０００２】
容器体に装着して使用し、シリンダ内を加圧及び減圧させて容器体内の液を噴出孔より噴出するポンプ機構を備えた液体噴出器が種々提案されている。（例えば、特許文献１参照）
【０００３】
特許文献１に記載された液体噴出器はトリガー式の液体噴出器であり、本体に揺動可能に装着されたトリガーの操作によりシリンダ内を加圧或いは減圧させることで、容器体内の液を噴出口より噴出する。
【０００４】
また、容器体内に垂下固定されるシリンダと、シリンダ内より上部を突出して上方付勢状態で上下動可能に設けられた作動部材とを備え、作動部材の上下動でシリンダ内を加圧及び減圧させることで、容器体内の液を噴出口より噴出する縦型ポンプ式の液体噴出器も知られている。
【先行技術文献】
【特許文献】
【０００５】
【特許文献１】特開平１１−２９０７３１号公報
【発明の概要】
【発明が解決しようとする課題】
【０００６】
上記トリガー式の液体噴出器或いは縦型ポンプ式液体噴出器は内部構造により、棒状形態の液状に、或いは霧状、泡状に液を噴出する。霧状に噴出する場合には、例えば、液流路にスピン機構を配置して回動液を噴出口より噴出することで霧状の噴出を可能としている。また、泡状に噴出する場合には外気を導入する機構を備え、外気と液とを混合して起泡する機構を備えている。縦型ポンプ式の液体噴出器の場合、大径の空気用シリンダ小径の液用シリンダを備え、それらに連携する作動部材の上下動により泡状に液を噴出しているが全体構造が大きくなる嫌いがある。また、いずれの液体噴出器の場合も泡を噴出する噴出口が円筒状の噴出口を採用しているため、泡状に噴出する場合にその塗布パターンが狭いという欠点もあった。
【０００７】
本発明は上記した点に鑑みたもので、収容液を泡状に、しかも泡の塗布パターンを広い範囲になるべく丸く散布することが可能であり、しかも、構造も簡単で、製造も容易である液体噴出器を提案するものである。
【課題を解決するための手段】
【０００８】
第１の手段として、以下の通り構成した。即ち、
シリンダ２３内を加圧及び減圧させて容器体Ｂ内の液を噴出孔６６より噴出するポンプ機構を備え、スピン機構７０を介して噴出孔６６より霧状に液を噴出する液体噴出器に於いて、
噴出孔６６先方に起泡拡散機構を備え、起泡拡散機構は、噴出孔６６の先方に延設した柱状空間形態の噴出口６７を備え、噴出口６７の基端部を円周面７２とするとともに、先端部に外方へ広がるテーパ周面７３を備え、
上記円周面７２を基端側の小径部７２ａと、先端側の大径部７２ｂとで構成するとともに、
円周面７２の小径部７２ａに外部と連通して外気を導入する外気導入路７４の一端を開口してなり、
外気導入路７４からの外気と混合した噴出孔６６からの噴霧液を円周面７２の大径部７２ｂに衝突させて起泡し、噴出口６７の先端開口より噴出可能とし、
テーパ周面７３と連続する噴出口６７の先端に、拡散程度を調整する調整円周面７５を設けた。
【００１０】
第２の手段として、以下の通り構成した。即ち、前記第１の手段に於いて、調整円周面７５の先端に、外方へ広がる調整テーパ周面７７を連設した。
【００１２】
第３の手段として、以下の通り構成した。即ち、前記第１の手段又は第２の手段に於いて、揺動可能に設けられたトリガー操作によりシリンダ２３内を加圧及び減圧されるポンプ機構を備えたトリガー式の液体噴出器である。
【００１３】
第４の手段として、以下の通り構成した。即ち、前記第１の手段又は第２の手段に於いて、容器体Ｂ内に垂下固定されるシリンダ２３と、シリンダ２３内より上部を突出させて上方付勢状態で上下動可能に設けられた作動部材８０とを備え、作動部材８０の上下動でシリンダ２３内を加圧及び減圧させる縦型ポンプ式の液体噴出器である。
【発明の効果】
【００１４】
本発明によれば、泡パターンを広い範囲になるべく丸く散布することができ、しかも構造が簡単で、噴出孔６６より霧状に噴出する機構を備えた液体噴出器の簡単な改良で形成することができる利点がある。
【００１５】
テーパ周面７３と連続する噴出口６７の先端に、拡散程度を調整する調整円周面７５を設けた場合には、散布された泡パターンを必要に応じた拡散状態に調整することができ、泡パターンの輪郭もはっきりした散布を行える。
【００１６】
調整円周面７５の先端に、外方へ広がる調整テーパ周面７７を連設した場合には、噴出された泡の塗布パターンは、調整円周面７５のみ付加した場合と比較して、全体の泡の分散域が拡大することで中央集中域ｐ１の大きさが小さくなる傾向があり、調整円周面７５のみ付加した形態と用途によって好ましい選択使用が可能となる。
【００１７】
円周面７２を基端側の小径部７２ａと、先端側の大径部７２ｂとで構成し、小径部７２ａに外気導入路７４の一端を開口した場合には、外気の導入が噴出孔６６近傍の狭い噴出口６７内に行われて密な混合が可能となり、また、その後混合液が大径部に衝突してより良好な起泡性を得られる。
【図面の簡単な説明】
【００１８】
【図１】液体噴出器の縦断面図である。（第１実施例）
【図２】スピン機構の説明図である。（第１実施例）
【図３】噴出孔及び噴出口部分の要部拡大断面図である。（第１実施例）
【図４】泡の塗布パターンの正面図である。（第１実施例）
【図５】液体噴出器の縦断面図である。（第２実施例）
【図６】ノズルの拡大正面図である。（第２実施例）
【図７】噴出孔及び噴出口部分の要部拡大断面図である。（第２実施例）
【図８】噴出孔及び噴出口部分の要部拡大断面図である。（第３実施例）
【図９】調整テーパ周面部分の要部拡大図断面図である。（第３実施例）
【図１０】泡の塗布パターンの正面図である。（第３実施例）
【図１１】噴出孔及び噴出口部分の要部拡大断面図である。（第４実施例）
【発明を実施するための形態】
【００１９】
以下、本発明の形態を図面を参照して説明する。
【００２０】
図１乃至図４は本発明の液体噴出器の第１実施例を示す。以下の説明に於いて、便宜上図面の上方を上部、下方を下部とし、また、噴出口６７のある左方を前部、その反対を後部として説明する。本例に於ける液体噴出器Ａは、揺動可能に設けられたトリガー操作によりシリンダ内を加圧及び減圧されるポンプ機構を備えたトリガー式の液体噴出器Ａ１であり、装着キャップ１０と、本体２０と、連結筒部材３０と、トリガー４０と、連結部材５０と、ノズル６０とを備えている。
【００２１】
装着キャップ１０は、容器体Ｂの口頸部１００外周に螺着してトリガー式液体噴出器Ａを容器体に装着固定するもので、本体２０の下部に回動可能に連設されている。
【００２２】
本例では、本体２０に嵌着した連結筒部材３０を介して、本体と装着キャップ１０とを連繋させている。本体２０は、上端を閉塞した下端開口の嵌合筒３４を有し、また、嵌合筒３４頂部の後部偏心位置に下端を開口して起立した有頂筒状の基筒部２１を有し、基筒部２１の上部より前方へ射出筒２２を、下方より前方へシリンダ２３をそれぞれ突設しており、シリンダ２３内にプランジャ２８を摺動可能に嵌合させている。また、連結筒部材３０は嵌合筒３４内に上部を嵌着した上端閉塞の大径筒部３１を備え、大径筒部３１頂部の後部偏心位置を貫通して下端を開口した縦筒３３を基筒部２１内に嵌着固定している。縦筒３３の下端には吸い上げ用のパイプ２４の上端を嵌着して、その下端を容器体内底部に垂下させている。
【００２３】
縦筒３３内下部には吸込み弁２５を配置し、上部には弾性部材２６で常時は圧接閉塞されている吐出弁２７を備えている。また、プランジャ２８により閉塞されるシリンダ２３内と縦筒３３内とを連通する連通孔２９を、吸込み弁２５下流で吐出弁２７上流の基筒部２１及び縦筒３３を貫通して穿設している。更に、縦筒３３内と射出筒２２内とを連通する連通孔３５を吐出弁２７下流の基筒部２１及び縦筒３３を貫通して穿設している。また、連結筒部材３０の大径筒部３１外周下部より突設したフランジ３２上面に、装着キャップ１０上端のフランジ状頂壁を当接させて本体２０に対して装着キャップ１０を回動可能に装着している。
【００２４】
トリガー４０は、射出筒２２の前部位置の連結部材５０に上端部を回動可能に枢着して前後揺動可能に装着されており、また、連結部材５０の左右より一体に垂設された一対のバネ板４１の下端部を、トリガー４０の両側面上部にそれぞれ連繋させて常時前方へ付勢された状態で枢着されている。また、プランジャ２８の先端部をトリガー４０上部に連携させて、トリガー４０の引き込みによりプランジャ２８の押し込みが可能に、押し込んだ状態からバネ板４１の弾性復元力で元の状態に復元するトリガー４０により、プランジャ２８を元の状態に引き戻すよう構成されている。
【００２５】
連結部材５０は、射出筒２２の先端外周に装着筒部５１を嵌合させて射出筒２２の先端に嵌着している。装着筒部５１の前部両側からは上記したバネ板４１を一体に垂設しており、また、バネ板４１垂設部分後方の両側にトリガー４０の両側板上端部をそれぞれ枢着している。また、装着筒部５１先端に射出筒２２先端面を被覆する基板５２を備え、基板５２前面中央より先端閉塞の筒状をなす中心軸５３を、その周囲に連結用筒５４を突設し、基板５２に設けた透孔５５を介して射出筒２２内と中心軸５３外方の連結用筒５４内とを連通している。
【００２６】
ノズル６０は、連結用筒５４外周に回動可能に嵌合させた嵌合筒６１を前壁６２後面より突設し、また、嵌合筒６１内周の前壁６２後面からは中心軸５３外周に液密回動可能に嵌合する中心筒６３を突設している。また、中心筒６３の内面後端部所定位置に前後方向に伸びる第２凹溝６４を設けており、連結部材５０の中心軸５３の外面先端部所定位置に設けた前後方向に延びる第１凹溝５６とノズル６０の所定回動位置では連通が可能に、それ以外の回動位置では連通が不能に構成している。
【００２７】
前壁６２の中央部にはスピン機構７０を介して噴出孔６６が穿設され、噴出孔６６の先方に柱状空間形態の噴出口６７を延設している。スピン機構７０は、前壁６２後面に刻設されたもので、図２に示す如く、中央凹部７１から螺旋状の放射状凹部６８が複数凹設され噴出孔６６に連通させたもので、第１凹溝５６からの液を噴出孔６６から霧状に噴出する機能を果たす。
【００２８】
本発明では、噴出孔６６先方に起泡拡散機構を備えている。起泡拡散機構は、基端部を円周面７２とするとともに、先端部に外方へ広がるテーパ周面７３を備えた上記柱状空間形態の噴出口６７を備えており、また、噴出口６７の円周面７２に外部と連通して外気を導入する外気導入路７４の一端を開口している。そして、外気導入路７４からの外気と混合した噴出孔６６からの噴霧液を円周面７２に衝突させて起泡し、噴出口６７の先端開口より噴出可能に構成している。
【００２９】
本例に於ける噴出口６７は、前面中央に円形突部７６を突設した肉厚の前壁６２の中央部に凹設し、奥面中央に噴出孔６６を開口した柱状空間形態をなしている。また、円周面７２を基端側の小径部７２ａと、先端側の大径部７２ｂとで構成し、小径部７２ａの両側に外部と連通して外気を導入する外気導入路７４の一端を開口している。更に本例では、テーパ周面７３と連続する噴出口６７の先端に、拡散程度を調整する調整円周面７５を設けている。円周面７２及び調整円周面７５は、水平軸に沿った横方向にストレートな真円構造であり、これらの円周面と、その周縁部より３６０°方向に広がるテーパ周面との組み合わせで良好な拡散状態の調整を行える。
【００３０】
そして、噴出孔６６から霧状に噴出する液と外気導入路７４からの外気を小径部７２ａ内で混合させた後大径部７２ｂに混合液を衝突させて起泡させ、噴出口６７先端開口より泡状に噴出する如く構成している。この際テーパ周面７３の存在で泡の塗布パターンが円形に広範囲に広がり、また、調整円周面７５により周縁部の輪郭をはっきりさせた泡の過剰な広がり過ぎをおさえた塗布パターンを形成できる。
【００３１】
上記の如く構成した液体噴出器Ａは、トリガー４０を後方へ引くことでプランジャ２８を押し込み、シリンダ２３内の液を加圧して吐出弁２７を開き、加圧液は射出筒２２から透孔５５を通り、第２凹溝６４、第１凹溝５６を介してスピン機構７０に導入される。スピン機構７０から噴出孔６６を介して霧状に噴出された液は外気導入路７４から導入された外気と混合して大径部７２ｂに衝突するとともに、噴出口６７先端より泡状に噴出される。
【００３２】
噴出された泡の塗布パターンは、例えば、図１及び図４に示す如く、比較的大粒の中央集中域ｐ１と、その周囲の比較的小径の拡散域ｐ２とで構成される。
【００３３】
次いでトリガーの引き込みをやめるとバネ板４１の弾性復元力によりトリガー４０が元の状態に戻されるとともに、プランジャ２８が引き出され、負圧化したシリンダ２３内に吸込み弁２５を開いて容器体Ｂ内の液が導入される。
【００３４】
図５乃至図７は第２実施例を示し、この場合も便宜上図面の上方を上部、下方を下部とし、また、噴出口６７のある左方を前部、その反対を後部として説明する。本例に於ける液体噴出器Ａは、容器体Ｂ内に垂下固定されるシリンダ２３と、シリンダ２３内より上部を突出させて上方付勢状態で上下動可能に設けられた作動部材８０とを備え、作動部材８０の上下動でシリンダ２３内を加圧及び減圧させる縦型ポンプ式の液体噴出器Ａ２である。縦型ポンプ式の液体噴出器Ａ２は、装着キャップ１０と、シリンダ２３と、作動部材８０とを備えている。
【００３５】
装着キャップ１０は、容器体Ｂの口頸部１００外周に螺着して縦型ポンプ式の液体噴出器Ａ２を容器体Ｂに装着固定するもので、シリンダ２３の上端部を内面に嵌着固定している。
【００３６】
シリンダ２３は、装着キャップ１０の容器体Ｂへの装着固定により容器体Ｂ内に垂下固定し、内部底部には吸込み弁２５を設けている。また、吸い上げ用のパイプ２４を下端に嵌着し、その下端を容器体Ｂ内底部に垂下している。
【００３７】
作動部材８０は、コイルスプリングｓにより常時上方に付勢されて上下動可能に装着されており、下部にシリンダ２３内を摺動する小径のピストン８１を、上部外周に大径のピストン８２をそれぞれ突設し、また、内部に液流路を設けたステム部材８３を備え、ステム部材８３の上端に噴出ヘッド８４を装着している。
【００３８】
噴出ヘッド８４は、下部に垂設した補助シリンダ８５に大径のピストン８２を摺動自在に嵌合させてステム部材８３と連繋しており、コイルスプリングｓにより上方付勢されたステム部材８３により押し上げられるとともに、補助シリンダ８５外周を装着キャップ１０の案内筒内面上部に係合させることで上方への抜け出しを防止している。また、補助シリンダ８５の頂壁部中央に穿設した吐出弁口を、ステム部材８３上端の吐出弁体で閉塞して吐出弁２７を形成している。
【００３９】
噴出ヘッド８４の前面には、周囲を環状溝８６で囲まれ、ノズル６０を嵌着させるための前向きの柱状部８７を備え、環状溝８６の基端部の一部を連通路８８を介して吐出弁２７と連通する内部の液流路と連通している。
【００４０】
ノズル６０は、中央に噴出孔６６を穿設した隔壁９２で後端を閉塞し、内部に柱状空間形態の噴出口６７を備えた筒状部９１を備え、筒状部９１の後面より環状溝８６に嵌着する嵌着筒９０を突設している。そして、嵌着筒９０を環状溝８６に嵌着して噴出ヘッド８４に装着している。また、ノズル６０後面には、図１の例と同様形態のスピン機構７０を刻設しており、連通路８８から嵌着筒９０と柱状部８７との隙間を介してスピン機構７０の放射状凹部６８に連通させている。
【００４１】
噴出口６７は、図１の例と同様に基端部を円周面７２とするとともに、先端部に外方へ広がるテーパ周面７３を備え、円周面７２に外部と連通して外気を導入する外気導入路７４の一端を開口している。この場合も円周面７２を基端側の小径部７２ａと、先端側の大径部７２ｂとで構成し、小径部７２ａに外部と連通して外気を導入する外気導入路７４の一端を開口しており、更にテーパ周面７３と連続する噴出口６７の先端に、拡散程度を調整する調整円周面７５を設けている。
【００４２】
上記の如く構成した縦型ポンプ式の液体噴出器Ａ２は、作動部材８０を下方へ押し下げることでシリンダ２３内が加圧され、ステム部材８３内の流路を介して連通するシリンダ２３と、シリンダ２３より大径の補助シリンダ８５との存在で、ステム部材８３が噴出ヘッド８４に対して相対的に押し下げられて吐出弁２７が開口し、加圧液が噴出ヘッド８４内流路から環状溝８６を介してスピン機構７０に導入され、図１の例の場合と同様に泡状に噴出口６７の先端開口より噴出される。
【００４３】
噴出された泡の塗布パターンは、図１の例と同様に例えば、図５に示す如く、比較的大粒の中央集中域ｐ１と、その周囲の比較的小径の拡散域ｐ２とで構成される。
【００４４】
次いで液圧の減少に伴い吐出弁２７が閉じ、作動部材８０の押し下げをやめるとコイルスプリングｓの作用で作動部材８０は上昇し、負圧化したシリンダ２３内に吸込み弁２５を開いて容器体Ｂ内の液が導入される。
【００４５】
図８は第３実施例を示し、第１実施例に於ける、揺動可能に設けられたトリガー操作によりシリンダ内を加圧及び減圧されるポンプ機構を備えたトリガー式の液体噴出器Ａ１であり、本例は、図示しないが、第１実施例と同様の、装着キャップ１０と、本体２０と、連結筒部材３０と、トリガー４０と、連結部材５０とを備えており、ノズル６０のみ一部の構成が異なる。
【００４６】
ノズル６０は、第１実施例と同様に、連結用筒５４外周に回動可能に嵌合させた嵌合筒６１を前壁６２後面より突設し、また、嵌合筒６１内周の前壁６２後面からは中心軸５３外周に液密回動可能に嵌合する中心筒６３を突設している。また、中心筒６３の内面後端部所定位置に前後方向に伸びる第２凹溝６４を設けており、連結部材５０の中心軸５３の外面先端部所定位置に設けた前後方向に延びる第１凹溝５６とノズル６０の所定回動位置では連通が可能に、それ以外の回動位置では連通が不能に構成している。前壁６２の中央部には第１実施例と同様のスピン機構７０を介して噴出孔６６が穿設され、噴出孔６６の先方に柱状空間形態の噴出口６７を延設している。
【００４７】
また、第１実施例と同様に、噴出孔６６先方に起泡拡散機構を備えている。本例に於ける起泡拡散機構は、第１実施例に於ける起泡拡散機構に、図９に拡大図で示す如く、調整テーパ周面７７の構成を付加したものであり、基端部を円周面７２とするとともに、先端部に外方へ広がるテーパ周面７３を備えた上記柱状空間形態の噴出口６７を備えており、また、噴出口６７の円周面７２に外部と連通して外気を導入する外気導入路７４の一端を開口している。そして、外気導入路７４からの外気と混合した噴出孔６６からの噴霧液を円周面７２に衝突させて起泡し、噴出口６７の先端開口より噴出可能に構成している点は第１実施例と同様である。この場合も、水平軸に沿った横方向にストレートな真円構造とその周縁から３６０°方向に広がるテーパ周面との組み合わせで良好な拡散状態の調整を行え、この場合にはストレートな真円構造から広がるテーパ構造を二段階に設けてより微細な調整を可能としている。
【００４８】
本例に於ける噴出口６７は、前面中央に円形突部７６を突設した肉厚の前壁６２の中央部に凹設し、奥面中央に噴出孔６６を開口した柱状空間形態をなしている。また、円周面７２を基端側の小径部７２ａと、先端側の大径部７２ｂとで構成し、小径部７２ａの両側に外部と連通して外気を導入する外気導入路７４の一端を開口している。テーパ周面７３と連続する噴出口６７の先端に、拡散程度を調整する調整円周面７５を設けており、調整円周面７５の先端に、外方へ広がる調整テーパ周面７７を連設している。
【００４９】
本例の場合も、噴出孔６６から霧状に噴出する液と外気導入路７４からの外気を小径部７２ａ内で混合させた後大径部７２ｂに混合液を衝突させて起泡させ、噴出口６７先端開口より泡状に噴出する如く構成している。この際テーパ周面７３の存在で泡の塗布パターンが円形に広範囲に広がり、また、調整円周面７５により塗布パターンの広がりをある程度の範囲に調整した後、調整テーパ周面７７で更に塗布パターンを広げる。
【００５０】
トリガー４０操作による泡の噴出作用は上記した第１実施例と同様である。
【００５１】
噴出された泡の塗布パターンは、例えば、図１０に示す如く、比較的大粒の中央集中域ｐ１と、その周囲の比較的小径の拡散域ｐ２と、その周囲の第２拡散域ｐ３とで構成される。第２拡散域ｐ３の存在で、全体の泡の分散域が拡大することで、中央集中域ｐ１の大きさが小さくなる傾向があり、第１実施例の形態と用途によって選択使用することが可能である。
【００５２】
図１１は第４実施例を示し、第２実施例に於ける、縦型ポンプ式の液体噴出器Ａであり、図示しないが、第２実施例と同様の装着キャップ１０と、シリンダ２３と、作動部材８０とを備えており、ノズル６０のみ一部の構成が異なる。
【００５３】
ノズル６０は、第２実施例と同様に、中央に噴出孔６６を穿設した隔壁９２で後端を閉塞し、内部に柱状空間形態の噴出口６７を備えた筒状部９１を備え、筒状部９１の後面より環状溝８６に嵌着する嵌着筒９０を突設している。そして、嵌着筒９０を環状溝８６に嵌着して噴出ヘッド８４に装着している。また、ノズル６０後面には、同様形態のスピン機構７０を刻設しており、連通路８８から嵌着筒９０と柱状部８７との隙間を介してスピン機構７０の放射状凹部６８に連通させている。
【００５４】
噴出口６７は、第３実施例と同様に基端部を円周面７２とするとともに、先端部に外方へ広がるテーパ周面７３を備え、円周面７２に外部と連通して外気を導入する外気導入路７４の一端を開口している。この場合も円周面７２を基端側の小径部７２ａと、先端側の大径部７２ｂとで構成し、小径部７２ａに外部と連通して外気を導入する外気導入路７４の一端を開口しており、更にテーパ周面７３と連続する噴出口６７の先端に、拡散程度を調整する調整円周面７５を設け、調整円周面７５の先端に、外方へ広がる調整テーパ周面７７を連設している。
【００５５】
本例の場合も、噴出孔６６から霧状に噴出する液と外気導入路７４からの外気を小径部７２ａ内で混合させた後大径部７２ｂに混合液を衝突させて起泡させ、噴出口６７先端開口より泡状に噴出する如く構成している。この際テーパ周面７３の存在で泡の塗布パターンが円形に広範囲に広がり、また、調整円周面７５により塗布パターンの広がりをある程度の範囲に調整した後、調整テーパ周面７７で更に塗布パターンを広げる。
【００５６】
作動部材８０の押し下げ操作によるの噴出作用は上記した第２実施例と同様である。また、噴出された泡の塗布パターンは第３実施例と同様である。
【００５７】
尚、上記各例では調整円周面７５或いは調整円周面７５と調整テーパ周面７７を設けている例を示したが、調整円周面７５或いは調整円周面７５と調整テーパ周面７７を設けずに、円周面７２とテーパ周面７３とを設けた場合も本発明の目的を達成できる。
【符号の説明】
【００５８】
Ａ：液体噴出器
Ａ１：トリガー式の液体噴出器
Ａ２：縦型ポンプ式の液体噴出器
１０…装着キャップ、２０…本体、２１…基筒部、２２…射出筒、２３…シリンダ、
２４…吸い上げ用のパイプ、２５…吸込み弁、２６…弾性部材、２７…吐出弁、
２８…プランジャ、２９…連通孔、３０…連結筒部材、３１…大径筒部、
３２…フランジ、３３…縦筒、３４…嵌合筒、
３５…連通孔、４０…トリガー、４１…バネ板、５０…連結部材、５１…装着筒部、
５２…基板、５３…中心軸、５４…連結用筒、
５５…透孔、５６…第１凹溝、６０…ノズル、６１…嵌合筒、６２…前壁、
６３…中心筒、６４…第２凹溝、６６…噴出孔、６７…噴出口、６８…放射状凹部、    ７０…スピン機構、７１…中央凹部、７２…円周面、７２ａ…小径部、
７２ｂ…大径部、７３…テーパ周面、７４…外気導入路、７５…調整円周面、
７６…円形突部、７７…調整テーパ周面、８０…作動部材、８１…小径のピストン、
８２…大径のピストン、８３…ステム部材、８４…噴出ヘッド、８５…補助シリンダ、
８６…環状溝、８７…柱状部、８８…連通路、９０…嵌着筒、９１…筒状部、
９２…隔壁、ｓ…コイルスプリング、ｐ１…中央集中域、ｐ２…拡散域、
Ｂ：容器体
１００…口頸部
【図１】
0005921861.tif 000002
【図２】
0005921861.tif 000003
【図３】
0005921861.tif 000004
【図４】
0005921861.tif 000005
【図５】
0005921861.tif 000006
【図６】
0005921861.tif 000007
【図７】
0005921861.tif 000008
【図８】
0005921861.tif 000009
【図９】
0005921861.tif 000010
【図１０】
0005921861.tif 000011
【図１１】
0005921861.tif 000012